(57)【特許請求の範囲】
【請求項１】
所定の用紙サイズの用紙に対応する用紙プレビュー画像に重ねて、所定の原稿サイズの原稿画像データに対応する原稿プレビュー画像をタッチパネル上に表示する操作装置において、
ユーザにより、用紙サイズと、プレビューキーの選択とを受け付けると、原稿の画像データを画像読取手段に読み取らせて、当該原稿の画像データの縦横サイズに対応する原稿サイズと、原稿の向きとから原稿プレビュー画像を生成し、前記用紙サイズから用紙プレビュー画像を生成し、当該原稿プレビュー画像の一端を、当該用紙プレビュー画像の一端に一致させた状態で、当該原稿プレビュー画像と当該用紙プレビュー画像とを重ね合わせて表示させる表示受付手段と、
ユーザにより、前記原稿プレビュー画像の一部が接触された状態で、縦方向又は横方向に移動されると、前記原稿プレビュー画像の縦倍率と横倍率とを別途独立で変更する独立変倍処理に従い、最初に表示された原稿プレビュー画像の縦倍率と横倍率とを基準として、当該原稿プレビュー画像の倍率を、前記原稿プレビュー画像の一部が移動した移動方向の移動量に対応する倍率に変更する変更手段と、
前記変更された原稿プレビュー画像の倍率が、前記移動方向における基準の倍率よりも大きい拡大基準倍率、又は前記移動方向における基準の倍率よりも小さい縮小基準倍率と一致したか否かを判定する判定手段と、
前記判定の結果、前記原稿プレビュー画像の倍率が、前記拡大基準倍率又は前記縮小基準倍率と一致した場合、前記原稿プレビュー画像の向きを９０度回転させて、当該回転後の原稿プレビュー画像の一端を、前記用紙プレビュー画像の一端に一致させた状態で、当該回転後の原稿プレビュー画像と当該用紙プレビュー画像とを重ね合わせて表示させる回転手段と
を備えることを特徴とする操作装置。
【請求項２】
前記回転手段が前記回転後の原稿プレビュー画像と当該用紙プレビュー画像とを重ね合わせて表示させた際に、ユーザが、当該原稿プレビュー画像の一部を前記移動方向と同一方向に継続して移動させる場合、前記変更手段は、前記回転後の原稿プレビュー画像の倍率を、回転前の移動方向と直交する方向の移動量に対応する倍率に変更する
請求項１に記載の操作装置。
【請求項３】
前記拡大基準倍率は、横向きの用紙の用紙サイズの横サイズに、縦向きの用紙で、当該用紙サイズの次に小さい用紙サイズの縦サイズを除算した倍率であり、前記縮小基準倍率は、縦向きの用紙の用紙サイズの縦サイズに、横向きの用紙で、当該用紙サイズの次に大きい用紙サイズの横サイズを除算した倍率である
請求項１又は２に記載の操作装置。
【請求項４】
前記表示受付手段は、前記原稿プレビュー画像の倍率が変更された状態で、所定のＯＫキーが押下されると、当該変更後の原稿プレビュー画像に対応する原稿サイズ、倍率、原稿の向きを各設定項目の設定値として受け付ける
請求項１−３のいずれか一項に記載の操作装置。
【請求項５】
前記表示受付手段は、前記原稿プレビュー画像と用紙プレビュー画像とを表示する際に、前記原稿プレビュー画像の色と前記用紙プレビュー画像の色とを相互に色分けして表示するとともに、当該原稿プレビュー画像を半透明で当該用紙プレビュー画像の上に被せた状態で表示する
請求項１−４に記載の操作装置。
【請求項６】
請求項１−５のいずれか一項に記載の操作装置を備えた画像形成装置。
【請求項７】
所定の用紙サイズの用紙に対応する用紙プレビュー画像に重ねて、所定の原稿サイズの原稿画像データに対応する原稿プレビュー画像をタッチパネル上に表示する操作装置の操作方法において、
ユーザにより、用紙サイズと、プレビューキーの選択とを受け付けると、原稿の画像データを画像読取手段に読み取らせて、当該原稿の画像データの縦横サイズに対応する原稿サイズと、原稿の向きとから原稿プレビュー画像を生成し、前記用紙サイズから用紙プレビュー画像を生成し、当該原稿プレビュー画像の一端を、当該用紙プレビュー画像の一端に一致させた状態で、当該原稿プレビュー画像と当該用紙プレビュー画像とを重ね合わせて表示させる表示受付ステップと、
ユーザにより、前記原稿プレビュー画像の一部が接触された状態で、縦方向又は横方向に移動されると、前記原稿プレビュー画像の縦倍率と横倍率とを別途独立で変更する独立変倍処理に従い、最初に表示された原稿プレビュー画像の縦倍率と横倍率とを基準として、当該原稿プレビュー画像の倍率を、前記原稿プレビュー画像の一部が移動した移動方向の移動量に対応する倍率に変更する変更ステップと、
前記変更された原稿プレビュー画像の倍率が、前記移動方向における基準の倍率よりも大きい拡大基準倍率、又は前記移動方向における基準の倍率よりも小さい縮小基準倍率と一致したか否かを判定する判定ステップと、
前記判定の結果、前記原稿プレビュー画像の倍率が、前記拡大基準倍率又は前記縮小基準倍率と一致した場合、前記原稿プレビュー画像の向きを９０度回転させて、当該回転後の原稿プレビュー画像の一端を、前記用紙プレビュー画像の一端に一致させた状態で、当該回転後の原稿プレビュー画像と当該用紙プレビュー画像とを重ね合わせて表示させる回転ステップと
を備えることを特徴とする操作方法。
【請求項８】
請求項７に記載の操作方法をコンピュータに実行させるためのプログラム。
【請求項９】
請求項８に記載のプログラムを記憶したコンピュータに読み取り可能な記憶媒体。
【発明の詳細な説明】
【技術分野】
【０００１】
本発明は、操作装置及び操作方法に関し、詳しくは、原稿の画像データのイメージを崩すことなく、ユーザに当該原稿の画像データの倍率を独立変倍で変更させることが可能な操作装置及び操作方法に関する。
【背景技術】
【０００２】
コピー機能付のデジタル複合機等の画像形成装置において、事務的出力だけでなく、デザイン的なレイアウトを要する出力や、固定の記録用紙サイズではなく、特殊なサイズの記録用紙に出力したい場合など、出力方法が多種に渡ってきている。
【０００３】
しかしながら、そのような出力をユーザが希望どおり行うためには、先ず、コピー動作をしてみて、デフォルトの印刷位置を確認し、出力位置が適正でない場合、希望の位置に原稿画像が出力されるように原稿の位置を手動で変更し再度コピーする必要があった。そのため、ミスコピーによる記録紙のロスが発生しやすいという問題があった。
【０００４】
又、特殊な記録紙など、試し印刷ができない（したくない）場合、代用の記録紙を用いて試し印刷を行い、本番用記録紙で試せないので、最終的に希望どおり出力できるか否か保証も無いという問題があった。
【０００５】
更に、一般的ではない原稿サイズや出力用紙サイズを用いたコピーでも、ユーザによってはよく使う組み合わせであったりする場合、そのたびに設定をしなおす手間があるという問題があった。
【０００６】
このような問題に対して、従来技術では、例えば、入力された画像の作像結果を事前に確認できるようにするため、複写媒体と記録媒体とを重ね合わせて表示する画像形成装置が登場してきている。又、複写画像の倍率調整を行い、且つ、複写画像と記録紙の位置関係をレイアウト表示し、実際に出力されるコピー画像を作成する画像形成装置も登場している。
【０００７】
しかしながら、上述した従来技術では、ユーザの希望する記録用紙に原稿画像を希望するレイアウトで配置し、且つ原稿画像そのものの確認を行うことが出来ないという問題がある。又、何かしらの手段で記録紙、原稿画像、出力位置を調整できても、その組み合わせで登録する手段がないため、別の原稿画像による同一レイアウトを複数回行う場合でも、出力のたびに設定を行わなければならないという問題がある。
【０００８】
このような問題を解決するために、特開２００７−７４５４０号公報（特許文献１）には、画像読み取り部と、画像メモリと、画像記録部と、操作部と、表示部と、制御手段を備え、操作部には、出力用紙と原稿画像の位置関係を確認する制御動作を開始させるための確認開始入力手段と、原稿画像位置を変更するための位置変更入力手段とが備えられた画像形成装置が開示されている。当該画像形成装置の制御手段は、確認開始入力手段の操作に基づいて、現行の読み取りにより得た画像情報を画像メモリに格納し、選択されている記録紙の画像に位置変更に応じた位置の画像情報を重ねて出力画像を作成し、その出力画像を表示部に表示するように制御する手段を有することを特徴とする。これにより、ユーザは出力したい記録紙に出力したい原稿画像を所望の位置に迅速、且つ確実に出力することができるとしている。
【０００９】
又、特開平９−３７０６３号公報（特許文献２）には、原稿上の画像を画像信号に変換する画像入力装置と、前記変換された画像信号を紙上に出力する画像出力装置と、画像を表示する表示装置と、全体を制御する制御装置とを有する画像複写装置が開示されている。当該画像複写装置の制御装置は、前記原稿上の画像を前記表示装置のプレビュー画面に表示させるプレビュー画面表示手段と、前記プレビュー画面上の任意の領域を指定し、前記指定した領域を拡大、縮小又は回転させ、前記表示装置のレイアウト画面上に印刷位置を示すレイアウト編集操作を行なうためのレイアウト画面表示手段とを有することを特徴とする。これにより、複数の原稿画像を合体して一枚の用紙上の画像として作成する場合に、切り貼り、再度の複写の作業などを不要とすることができるので、作業性および複写品質の向上が図れる画像複写装置を実現することができるとしている。
【００１０】
又、特開２００９−２３２１５４号公報（特許文献３）には、画像読取部が読み取った原稿画像の画像形成状態を示すプレビュー画像を表示部に表示する画像形成装置が開示されている。当該画像形成装置は、操作指示を受け付ける操作部と、前記プレビュー画像を画像形成媒体の縁辺を示す媒体枠と重ねて前記表示部に表示させ、前記操作部が前記プレビュー画像の縁辺を示すプレビュー画像枠の移動の操作指示を受け付けると、前記プレビュー画像枠の移動量に応じて前記プレビュー画像を拡大または縮小させる制御部を具備することを特徴とする。これにより、ユーザは直感的に画像形成媒体に形成される画像の拡大／縮小比率を調整することができたり、容易に画像形成媒体上の所望の位置に画像形成することができたりして、容易に原稿画像の所望の箇所のみの拡大／縮小したものを画像形成媒体上に画像形成することができるとしている。
【先行技術文献】
【特許文献】
【００１１】
【特許文献１】特開２００７−７４５４０号公報
【特許文献２】特開平９−３７０６３号公報
【特許文献３】特開２００９−２３２１５４号公報
【発明の概要】
【発明が解決しようとする課題】
【００１２】
しかしながら、前記特許文献１−３に記載の発明では、ユーザが原稿の画像データに対する倍率（縦倍率又は横倍率）を入力出来るものの、当該入力の結果、当該原稿の画像データのイメージが崩れる場合があり、当該倍率変更に伴う画像の品質の劣化を防止することが出来ないという問題がある。
【００１３】
一方、前記原稿の画像データの倍率変更は、一般的に、縦倍率と横倍率とが別個独立で変更される独立変倍処理であるが、ユーザが当該独立変倍処理を行う場合、上述した原稿の画像データのイメージが崩れる程、倍率変更処理をする意図が無いのが通常である。そのため、当該イメージが崩れるのであれば、他の処理でそれを回避しても良い。
【００１４】
そこで、本発明は、前記問題を解決するためになされたものであり、原稿の画像データのイメージを崩すことなく、ユーザに当該原稿の画像データの倍率を独立変倍で変更させることが可能な操作装置及び操作方法を提供することを目的とする。
【課題を解決するための手段】
【００１５】
上述した課題を解決し、目的を達成するために、本発明に係る操作装置は、所定の用紙サイズの用紙に対応する用紙プレビュー画像に重ねて、所定の原稿サイズの原稿画像データに対応する原稿プレビュー画像をタッチパネル上に表示する操作装置を前提として、以下の構成を採用する。
【００１６】
即ち、当該操作装置は、ユーザにより、用紙サイズと、プレビューキーの選択とを受け付けると、原稿の画像データを画像読取手段に読み取らせて、当該原稿の画像データの縦横サイズに対応する原稿サイズと、原稿の向きとから原稿プレビュー画像を生成し、前記用紙サイズから用紙プレビュー画像を生成し、当該原稿プレビュー画像の一端を、当該用紙プレビュー画像の一端に一致させた状態で、当該原稿プレビュー画像と当該用紙プレビュー画像とを重ね合わせて表示させる表示受付手段と、ユーザにより、前記原稿プレビュー画像の一部が接触された状態で、縦方向又は横方向に移動されると、前記原稿プレビュー画像の縦倍率と横倍率とを別途独立で変更する独立変倍処理に従い、最初に表示された原稿プレビュー画像の縦倍率と横倍率とを基準として、当該原稿プレビュー画像の倍率を、前記原稿プレビュー画像の一部が移動した移動方向の移動量に対応する倍率に変更する変更手段と、前記変更された原稿プレビュー画像の倍率が、前記移動方向における基準の倍率よりも大きい拡大基準倍率、又は前記移動方向における基準の倍率よりも小さい縮小基準倍率と一致したか否かを判定する判定手段と、前記判定の結果、前記原稿プレビュー画像の倍率が、前記拡大基準倍率又は前記縮小基準倍率と一致した場合、前記原稿プレビュー画像の向きを９０度回転させて、当該回転後の原稿プレビュー画像の一端を、前記用紙プレビュー画像の一端に一致させた状態で、当該回転後の原稿プレビュー画像と当該用紙プレビュー画像とを重ね合わせて表示させる回転手段とを備える。
【００１７】
又、前記回転手段が前記回転後の原稿プレビュー画像と当該用紙プレビュー画像とを重ね合わせて表示させた際に、ユーザが、当該原稿プレビュー画像の一部を前記移動方向と同一方向に継続して移動させる場合、前記変更手段は、前記回転後の原稿プレビュー画像の倍率を、回転前の移動方向と直交する方向の移動量に対応する倍率に変更する。
【００１８】
又、前記拡大基準倍率は、横向きの用紙の用紙サイズの横サイズに、縦向きの用紙で、当該用紙サイズの次に小さい用紙サイズの縦サイズを除算した倍率であり、前記縮小基準倍率は、縦向きの用紙の用紙サイズの縦サイズに、横向きの用紙で、当該用紙サイズの次に大きい用紙サイズの横サイズを除算した倍率である。
【００１９】
又、前記表示受付手段は、前記原稿プレビュー画像の倍率が変更された状態で、所定のＯＫキーが押下されると、当該変更後の原稿プレビュー画像に対応する原稿サイズ、倍率、原稿の向きを各設定項目の設定値として受け付ける。
【００２０】
又、前記表示受付手段は、前記原稿プレビュー画像と用紙プレビュー画像とを表示する際に、前記原稿プレビュー画像の色と前記用紙プレビュー画像の色とを相互に色分けして表示するとともに、当該原稿プレビュー画像を半透明で当該用紙プレビュー画像の上に被せた状態で表示するよう構成出来る。
【００２１】
又、当該操作装置は、画像形成装置に適用することが出来る。
【００２２】
尚、本発明は、所定の用紙サイズの用紙に対応する用紙プレビュー画像に重ねて、所定の原稿サイズの原稿画像データに対応する原稿プレビュー画像をタッチパネル上に表示する操作装置の操作方法として提供することが出来る。
【００２３】
即ち、当該操作方法は、ユーザにより、用紙サイズと、プレビューキーの選択とを受け付けると、原稿の画像データを画像読取手段に読み取らせて、当該原稿の画像データの縦横サイズに対応する原稿サイズと、原稿の向きとから原稿プレビュー画像を生成し、前記用紙サイズから用紙プレビュー画像を生成し、当該原稿プレビュー画像の一端を、当該用紙プレビュー画像の一端に一致させた状態で、当該原稿プレビュー画像と当該用紙プレビュー画像とを重ね合わせて表示させる表示受付ステップと、ユーザにより、前記原稿プレビュー画像の一部が接触された状態で、縦方向又は横方向に移動されると、前記原稿プレビュー画像の縦倍率と横倍率とを別途独立で変更する独立変倍処理に従い、最初に表示された原稿プレビュー画像の縦倍率と横倍率とを基準として、当該原稿プレビュー画像の倍率を、前記原稿プレビュー画像の一部が移動した移動方向の移動量に対応する倍率に変更する変更ステップと、前記変更された原稿プレビュー画像の倍率が、前記移動方向における基準の倍率よりも大きい拡大基準倍率、又は前記移動方向における基準の倍率よりも小さい縮小基準倍率と一致したか否かを判定する判定ステップと、前記判定の結果、前記原稿プレビュー画像の倍率が、前記拡大基準倍率又は前記縮小基準倍率と一致した場合、前記原稿プレビュー画像の向きを９０度回転させて、当該回転後の原稿プレビュー画像の一端を、前記用紙プレビュー画像の一端に一致させた状態で、当該回転後の原稿プレビュー画像と当該用紙プレビュー画像とを重ね合わせて表示させる回転ステップとを備える。当該構成としても、上述と同様の効果を得ることが可能となる。
【００２４】
又、本発明は、電気通信回線などを介して個別に流通する、コンピュータに実行させるためのプログラムとして提供することができる。この場合、中央演算処理装置（ＣＰＵ）が、本発明のプログラムに従ってＣＰＵ以外の各回路と協働して制御動作を実現する。又、前記プログラム及びＣＰＵを用いて実現される各手段は、専用のハードウェアを用いて構成することもできる。又、当該プログラムは、ＣＤ−ＲＯＭなどのコンピュータ読み取り可能な記録媒体に記録された状態で流通させることも可能である。
【発明の効果】
【００２５】
本発明の操作装置及び操作方法によれば、原稿の画像データのイメージを崩すことなく、ユーザに当該原稿の画像データの倍率を独立変倍で変更させることが可能となる。
【図面の簡単な説明】
【００２６】
【図１】本発明に係る複合機の内部の全体構成を示す概念図である。
【図２】本発明に係る操作部の全体構成を示す概念図である。
【図３】本発明に係る複合機及び操作部の制御系ハードウェアの構成を示す図である。
【図４】本発明の実施形態における複合機及び操作部の機能ブロック図である。
【図５】本発明の実施形態の実行手順を示すためのフローチャートである。
【図６】本発明の実施形態のタッチパネル上に表示された初期画面の一例を示す図（図６（Ａ））と、本発明の実施形態のタッチパネル上に表示された用紙サイズ画面の一例を示す図（図６（Ｂ））である。
【図７】本発明の実施形態のタッチパネル上に表示されたプレビュー画面の一例を示す図（図７（Ａ））と、本発明の実施形態のタッチパネル上に表示されたプレビュー画面の一例を示す図（図７（Ｂ））である。
【図８】本発明の実施形態のタッチパネル上に表示されたプレビュー画面の一例を示す図（図８（Ａ））と、本発明の実施形態のタッチパネル上に表示されたプレビュー画面の一例を示す図（図８（Ｂ））である。
【図９】本発明の実施形態のタッチパネル上に表示されたプレビュー画面の一例を示す図（図９（Ａ））と、本発明の実施形態のタッチパネル上に表示されたプレビュー画面の一例を示す図（図９（Ｂ））である。
【発明を実施するための形態】
【００２７】
以下に、添付図面を参照して、本発明の操作装置を備えた画像形成装置の実施形態について説明し、本発明の理解に供する。尚、以下の実施形態は、本発明を具体化した一例であって、本発明の技術的範囲を限定する性格のものではない。又、フローチャートにおける数字の前に付されたアルファベット「Ｓ」はステップを意味する。
【００２８】
＜操作装置及び画像形成装置＞
以下に、本発明の実施形態に係る画像形成装置について説明する。
【００２９】
図１は、本発明に係る複合機の内部の全体構成を示す概念図である。但し、本発明に直接には関係しない各部の詳細は省略している。尚、本発明の画像形成装置は、例えば、プリンタやスキャナ単体、あるいはプリンタ、コピー、スキャナ、ファックス等を備えた複合機等が該当し、コピー機能、スキャナ機能、ファクシミリ機能、プリンタ機能等を備えた画像形成装置として機能する。以下に、例えば、コピー機能を利用する場合の複合機１００（ＭＦＰ：Ｍｕｌｔｉ  Ｆｕｎｃｔｉｏｎ  Ｐｅｒｉｐｈｅｒａｌ）の動作を簡単に説明する。
【００３０】
先ず、ユーザが複合機１００を利用する場合、原稿Ｐを複合機１００の上面に備えられている原稿台１０１ａ又は自動原稿給紙部１０１ｂに載置し、コピー機能の設定を操作部１０２から入力する。当該操作部１０２には、複合機１００が提供するコピー機能に関連する印刷画面（初期画面など）が表示され、コピー機能に関連する複数の設定項目キーが選択可能に表示されている。ユーザは、前記印刷画面を介して、コピー機能に関する設定条件の入力を行う。
【００３１】
ユーザが、設定条件の入力を完了すると、操作部１０２に設けられたスタートキーを押下して、複合機１００にコピー機能の処理を開始させる。
【００３２】
複合機１００がコピー機能の処理を開始すると、画像読取部１０３において、光源１０４から照射された光が、前記原稿台１０１ａに置かれた原稿に反射される。反射された光は、ミラー１０５、１０６、１０７によって撮像素子１０８に導かれる。導かれた光は前記撮像素子１０８により光電変換されて、基本的な補正処理、画質処理、圧縮処理等を施され、前記原稿に対応する画像データが生成される。
【００３３】
尚、前記画像データは、前記撮像素子１０８に接続された通信部２０から取得されても構わない。前記通信部２０は、ネットワーク３０を介して所定の端末装置と通信可能であり、前記画像データは、当該端末装置から送信された画像データであっても構わない。
【００３４】
さて、前記画像データをトナー像として転写する駆動部が画像形成部１０９である。前記画像形成部１０９には感光体ドラム１１０が備えられている。前記感光体ドラム１１０は、一定速度で所定の方向に回転し、その周囲には、回転方向の上流側から順に、帯電器１１１、露光ユニット１１２、現像器１１３、転写器１１４、クリーニングユニット１１５などが配置されている。
【００３５】
前記帯電器１１１は、前記感光体ドラム１１０の表面を一様に帯電させる。前記露光ユニット１１２は、帯電された前記感光体ドラム１１０の表面に、前記画像データに基づいてレーザーを照射し、静電潜像を形成する。前記現像器１１３は、搬送された静電潜像に、トナーを付着させてトナー像を形成する。形成されたトナー像は、前記転写器１１４により、記録媒体（例えば、シート）に転写される。前記クリーニングユニット１１５は、前記感光体ドラム１１０の表面に残された余分なトナーを取り除く。これらの一連のプロセスは、前記感光体ドラム１１０が回転することにより実行される。
【００３６】
前記シートは、前記複合機１００に備えられた複数の給紙カセット１１６から搬送される。搬送される時は、前記シートはピックアップローラ１１７により何れか１つの前記給紙カセット１１６から搬送路へ引き出される。前記各給紙カセット１１６には、それぞれ異なる紙種のシートが収容されており、前記設定条件に関する設定に基づいてシートが給紙される。
【００３７】
搬送路に引き出された前記シートは、搬送ローラ１１８やレジストローラ１１９により感光体ドラム１１０と転写器１１４の間に送り込まれる。送り込まれると、前記シートは前記転写器１１４により前記トナー像が転写され、定着装置１２０に搬送される。
【００３８】
前記トナー像が転写されたシートが前記定着装置１２０に備えられた加熱ローラ１２１と加圧ローラ１２２の間を通過すると、前記トナー像に熱と圧力が印加されて、可視像がシートに定着される。前記加熱ローラ１２１の熱量は紙種に応じて最適に設定され、前記定着が適切に行われる。前記可視像がシートに定着されて画像形成が終了し、可視像が定着されたシートは、定着装置１２０を経て排紙トレイ１２３へ排紙され、積載、収容される。
【００３９】
前記手順により、複合機１００はコピー機能をユーザに提供する。
【００４０】
図２は、本発明に係る操作部の全体構成を示す概念図である。ユーザは、前記操作部１０２を用いて、上述のような画像形成についての設定条件を入力したり、入力された設定条件を確認したりする。前記設定条件が入力される場合、前記操作部１０２に備えられたタッチパネル２０１（操作パネル）、タッチペン２０２、操作キー２０３が用いられる。
【００４１】
前記タッチパネル２０１には、アナログ抵抗膜方式が採用され、透光性を有する上部フィルムと下部ガラス基板とがスペーサを介して重ね合わされた構成となっており、上部フィルムと下部ガラス基板との各々の対向面には、ＩＴＯ（Ｉｎｄｉｕｍ  Ｔｉｎ  Ｏｘｉｄｅ）等からなる透明電極層が設けられている。更に、上部フィルムがユーザにより押下されると、当該押下位置に対応する上部フィルム側の透明電極層と下部ガラス基板側の透明電極層とが接触するよう構成されている。上部フィルム又は下部ガラス基板に電圧を印加し、下部ガラス基板又は上部フィルムから押下位置に対応する電圧値を取り出すことにより、当該電圧値に対応する座標値（押下位置）を検出する。検出された押下位置が、タッチパネル上に表示された画面内の設定項目キー等の表示領域内に含まれると、当該設定項目の内容が入力（設定）される。
【００４２】
又、下部ガラス基板の下方には、ＬＣＤ（Ｌｉｑｕｉｄ  Ｃｒｙｓｔａｌ  Ｄｉｓｐｌａｙ）等の表示部が設けられており、当該表示部が、例えば、初期画面、コピー機能画面等の画面を表示することにより、タッチパネル２０１上に特定の画面が表示される。これにより、タッチパネル２０１には、設定条件等を入力する機能と当該設定条件等を表示する機能が兼ね備えられる。
【００４３】
又、タッチパネル２０１の近傍には、タッチペン２０２が備えられており、ユーザがそのタッチペン２０２の先をタッチパネル２０１に接触させると、当該接触位置（押下位置）に対応する座標値が、前記と同様に出力され、ユーザはタッチペン２０２により、表示された設定項目キー等を押下・選択することが可能となる。
【００４４】
更に、タッチパネル２０１近傍には、所定数の操作キー２０３が設けられ、例えば、テンキー２０４、スタートキー２０５、クリアキー２０６、ストップキー２０７、リセットキー２０８、電源キー２０９が備えられている。
【００４５】
次に、図３を用いて、複合機１００及び操作部１０２の制御系ハードウェアの構成を説明する。図３は、本発明に係る複合機１００及び操作部１０２の制御系ハードウェアの構成を示す図である。ただし、本発明に直接には関係しない各部の詳細は省略している。
【００４６】
複合機１００の制御回路は、ＣＰＵ（Ｃｅｎｔｒａｌ  Ｐｒｏｃｅｓｓｉｎｇ  Ｕｎｉｔ）３０１、ＲＯＭ（Ｒｅａｄ  Ｏｎｌｙ  Ｍｅｍｏｒｙ）３０２、ＲＡＭ（Ｒａｎｄｏｍ  Ａｃｃｅｓｓ  Ｍｅｍｏｒｙ）３０３、ＨＤＤ（Ｈａｒｄ  Ｄｉｓｋ  Ｄｒｉｖｅ）３０４、各駆動部に対応するドライバ３０５を内部バス３０６によって接続している。前記ＣＰＵ３０１は、例えば、ＲＡＭ３０３を作業領域として利用し、前記ＲＯＭ３０２、ＨＤＤ３０４等に記憶されているプログラムを実行し、当該実行結果に基づいて前記ドライバ３０５と操作部１０２からのデータや指示を授受し、前記図１に示した各駆動部の動作を制御する。また、前記駆動部以外の後述する各手段（図４に示す）についても、前記ＣＰＵ３０１がプログラムを実行することで当該各手段を実現する。
【００４７】
又、制御回路の内部バス３０６には、内部インターフェイス３０７も接続されており、当該内部インターフェイス３０７は、操作部１０２の制御回路等と複合機１００の制御回路とを接続する。ＣＰＵ３０１は、内部インターフェイス３０７を介して操作部１０２等の制御回路からの命令信号を受信したり、操作部１０２等の制御回路へ命令信号、データ等を送信したりする。
【００４８】
又、操作部１０２の制御回路には、内部バス３１５に、ＣＰＵ３０９、ＲＯＭ３１０、ＲＡＭ３１１、ＬＣＤ３１２、操作キー３１３（２０３）、タッチパネル３１４（２０１）、内部インターフェイス３０８を備える。操作キー３１３やタッチパネル３１４をユーザが操作すると、ＣＰＵ３０９は、内部インターフェイス３０８を介して、当該操作に基づく命令信号を複合機１００の制御回路に送信する。又、ＣＰＵ３０９、ＲＯＭ３１０、ＲＡＭ３１１の機能も前記と同様であり、後述する各手段（図４に示す）についても、前記ＣＰＵ３０９がプログラムを実行することで当該各手段を実現する。前記ＲＯＭ３１０には、以下に説明する各手段を実現するプログラムやデータが記憶されている。
【００４９】
＜本発明の実施形態＞
次に、図４、図５を参照しながら、本発明の実施形態に係る構成及び実行手順について説明する。図４は、本発明の複合機及び操作部の機能ブロック図である。図５は、本発明の実行手順を示すためのフローチャートである。
【００５０】
先ず、ユーザが、複合機１００の電源を投入すると、複合機１００とともに操作部１０２が起動し、操作部１０２の表示受付手段４０１が、所定のメモリに予め記憶されたコピー機能の設定条件に対応する設定項目の初期値（例えば、「用紙サイズ」であれば、「Ａ４」、「倍率」であれば、縦倍率「１００％」、横倍率「１００％」等）を取得して、初期設定条件とするとともに、当該初期設定条件に基づいて、予め設定された初期画面（例えば、コピー機能画面）をタッチパネル２０１上に表示する（図５：Ｓ１０１）。尚、前記設定項目のうち、所定の設定項目、例えば、「原稿サイズ」や「原稿の向き」については、原稿の画像データが取得された時点で決定される。
【００５１】
前記初期画面６００には、図６（Ａ）に示すように、コピー機能の設定条件を入力するための設定項目キー６０１（例えば、「原稿サイズ」キー６０１ａ、「用紙サイズ」キー６０１ｂ、「倍率」キー６０１ｃ、「原稿の向き」キー６０１ｄ等）と、原稿台１０１に載置された原稿の画像データを読み取って原稿のプレビュー画像として表示させる「プレビュー」キー６０２とが表示される。
【００５２】
ここで、ユーザが、例えば、前記設定項目キー６０１のうち、「用紙サイズ」キー６０１ｂを押下すると、前記表示受付手段４０１は、当該「用紙サイズ」キー６０１ｂの押下を受け付けて、前記初期画面６００から用紙サイズを入力可能な用紙サイズ画面に切り替え表示する。
【００５３】
前記用紙サイズ画面６０３には、図６（Ｂ）に示すように、設定項目を示す「用紙サイズ」６０４と、当該「用紙サイズ」に対応する設定値の設定値キー６０５（例えば、「Ａ４」キー６０５ａ、「Ａ３」キー６０５ｂ等）と、ＯＫキー６０６とが表示される。
【００５４】
尚、前記設定値キー６０５のうち、現時点で入力を受け付けている設定値キー（例えば、初期値に対応する「Ａ４」キー６０５ａ）の背景色は、他の設定値キー６０５の背景色と異なる色で表示される。
【００５５】
ユーザが、前記用紙サイズ画面６０３を見ながら、自己の所望する設定値キー６０５（例えば、「Ａ３」キー６０５ｂ）を押下して、ＯＫキー６０６を押下すると、前記表示受付手段４０１が、当該「Ａ３」キー６０５ｂと当該ＯＫキー６０６との押下を受け付けて、前記「用紙サイズ」の設定値（上述では、初期値「Ａ４」）を当該「Ａ３」キー６０５ｂの「Ａ３」に変更し（図５：Ｓ１０２ＹＥＳ）、前記用紙サイズ画面６０３から前記初期画面６００に切り替え表示することになる。尚、前記「用紙サイズ」は、初期値のままでも構わない（図５：Ｓ１０２ＮＯ）。
【００５６】
次に、ユーザが、原稿台１０１上に所定の原稿Ｐを所定のプラテンガラスに所定の向き（例えば、縦向き）に載置して、前記初期画面６００の「プレビュー」キー６０２を押下すると（図５：Ｓ１０３ＹＥＳ）、前記表示受付手段４０１は、当該「プレビュー」キー６０２の押下を受け付けて、その旨を画像読取手段４０２に通知する。当該通知を受けた画像読取手段４０２は、原稿台１０１に載置された原稿の画像データを読み取り（図５：Ｓ１０４）、当該原稿の画像データを画像データ記憶手段４０３に記憶させる。
【００５７】
そして、前記画像読取手段４０２が、前記原稿の画像データを画像データ記憶手段４０３に記憶させると、その旨を表示受付手段４０１に通知し、当該通知を受けた表示受付手段４０１は、当該原稿の画像データの縦横サイズから原稿サイズ（例えば、「Ａ４」）と、当該原稿の向き（例えば、「縦向き」）を取得し、各設定項目の設定値とする。
【００５８】
次に、前記表示受付手段４０１は、前記原稿の画像データと、その原稿サイズ（「Ａ４」）と、原稿の向き（「縦向き」）と、前記プレビュー画面の表示領域のサイズとに対応して、当該表示領域に表示可能な原稿プレビュー画像を生成する。又、前記表示受付手段４０１は、前記用紙サイズ（「Ａ３」）と、所定のメモリに予め記憶された用紙の画像データと、前記プレビュー画面の表示領域のサイズとに対応して、当該表示領域に表示可能な用紙プレビュー画像を生成する。更に、前記表示受付手段４０１は、前記初期画面６００から、前記原稿プレビュー画像を前記用紙プレビュー画像に重ねたプレビュー画面をタッチパネル２０１上に表示する（図５：Ｓ１０５）。
【００５９】
前記プレビュー画面７００には、図７（Ａ）に示すように、所定の表示領域７００ａにおいて、前記原稿プレビュー画像７０１の一端（左端７０１ａ）と、これに対応した前記用紙プレビュー画像７０２の一端（左端７０２ａ）とが一致された状態で、当該原稿プレビュー画像７０１と当該用紙プレビュー画像７０２とが重ね合わされて表示される。
【００６０】
これにより、ユーザが、前記原稿プレビュー画像７０１と前記用紙プレビュー画像７０２との関係を視覚的に確認することで現時点における前記原稿サイズ（「Ａ４」）と前記用紙サイズ（「Ａ３」）との関係を直感的に認識することが可能となる。
【００６１】
尚、前記原稿プレビュー画像７０１の色（例えば、「青色」）と前記用紙プレビュー画像７０２の色（例えば、「黄色」）は相互に色分けされて表示され、更に、当該原稿プレビュー画像７０１は半透明で当該用紙プレビュー画像７０２の上に被せた状態で表示される。これにより、上述した視覚的な確認を更に容易にする。
【００６２】
又、前記プレビュー画面７００には、前記原稿プレビュー画像７０１と前記用紙プレビュー画像７０２とに対応して、各サイズを示すサイズ表示７０３（例えば、縦向きＡ４サイズを示す「Ａ４Ｅ」、横向きＡ４サイズを示す「Ａ４Ｒ」、横向きＡ３サイズを示す「Ａ３Ｒ」など）と、ＯＫキー７０４も表示される。
【００６３】
更に、前記表示受付手段４０１は、ユーザが前記原稿プレビュー画像７０１の一部を接触（タッチ）して、その状態で縦方向（上下方向）又は横方向（左右方向）に移動可能（ドラッグ可能）に表示している。
【００６４】
さて、前記プレビュー画面７００を見ながら、ユーザが、図７（Ａ）に示すように、前記原稿プレビュー画像７０１の一部（例えば、右下角部７０１ｂ）を指で接触して、その指を右方向（横方向）へ移動させると、前記表示受付手段４０１が、それを検知して（図５：Ｓ１０６ＹＥＳ）、その旨を変更手段４０４に通知する。当該通知を受けた変更手段４０４は、前記原稿プレビュー画像７０１の倍率を前記移動量と移動方向（右方向）に対応して変更する（図５：Ｓ１０７）。
【００６５】
具体的には、ユーザが、前記原稿プレビュー画像７０１の一部７０１ｂを右方向に移動させた場合、当該移動方向が当該原稿プレビュー画像７０１の横倍率を増加させる方向であるため、前記変更手段４０４は、前記プレビュー画面７００で最初に表示された原稿プレビュー画像７０１の倍率（縦倍率「１００％」、横倍率「１００％」）を基準として、当該原稿プレビュー画像７０１の横倍率（「１００％」）を、前記一部７０１ｂが移動した移動量に対応する倍率（例えば、「１０％」）だけ増加して、変更後の横倍率（「１１０％」）とする。尚、前記原稿プレビュー画像７０１の基準となる倍率は、前記ＯＫキー７０４が押下されるまで固定される。
【００６６】
尚、前記原稿プレビュー画像７０１の一部７０１ｂが左方向に移動された場合には、当該移動方向が当該原稿プレビュー画像７０１の横倍率を減少させる方向であるため、前記変更手段４０４は、前記原稿プレビュー画像７０１の横倍率（「１００％」）を、前記移動量に対応する倍率だけ減少する。
【００６７】
又、前記原稿プレビュー画像７０１の一部７０１ｂが上方向に移動された場合には、当該移動方向が当該原稿プレビュー画像７０１の縦倍率を減少させる方向であるため、前記変更手段４０４は、前記原稿プレビュー画像７０１の縦倍率（「１００％」）を、前記移動量に対応する倍率だけ減少する。
【００６８】
更に、前記原稿プレビュー画像７０１の一部７０１ｂが下方向に移動された場合には、当該移動方向が当該原稿プレビュー画像７０１の縦倍率を増加させる方向であるため、前記変更手段４０４は、前記原稿プレビュー画像７０１の縦倍率（「１００％」）を、前記移動量に対応する倍率だけ増加する。
【００６９】
つまり、前記原稿プレビュー画像７０１の倍率の変更は、いわゆる独立変倍処理である。
【００７０】
さて、前記変更手段４０４が、前記原稿プレビュー画像７０１の倍率を変更すると、その旨を判定手段４０５に通知し、当該通知を受けた判定手段は、前記変更された原稿プレビュー画像７０１の倍率が、予め設定された基準倍率と一致したか否かを判定する（図５：Ｓ１０８）。
【００７１】
ここで、前記基準倍率には、前記原稿プレビュー画像７０１の縦倍率又は横倍率が増加（拡大）された場合と、前記原稿プレビュー画像７０１の縦倍率又は横倍率が減少（縮小）された場合との２種類の倍率が設定される。
【００７２】
前記拡大倍率の場合には、例えば、横向きの用紙の用紙サイズ（「Ａ３」）の横サイズ（「４２０ｍｍ」）に、縦向きの用紙で、当該用紙サイズの次に小さい用紙サイズ（所定の原稿サイズ）（「Ａ４」）の縦サイズ（「２９７ｍｍ」）を除算した拡大基準倍率（「１４１％」）が設定される。一方、前記縮小倍率の場合には、縦向きの用紙の用紙サイズ（「Ａ４」）の縦サイズ（「２９７ｍｍ」）に、横向きの用紙で、当該用紙サイズの次に大きい用紙サイズ（「Ａ３」）の横サイズ（「４２０ｍｍ」）を除算した縮小基準倍率（「７１％」）が設定される。これにより、後述する回転処理をする場合に、前記原稿プレビュー画像７０１のイメージが崩れ難く、原稿の画像の品質の劣化を防止することが可能となる。
【００７３】
さて、前記判定の結果、前記変更された原稿プレビュー画像７０１の倍率（図７（Ａ）では横倍率）が、前記拡大基準倍率又は縮小基準倍率に一致しない場合（図５：Ｓ１０８ＮＯ）、前記判定手段４０５は、前記原稿プレビュー画像７０１の倍率をそのまま変更してもイメージ崩れが生じないと判定し、何もしない。この場合は、ユーザのドラッグ操作に対応して前記原稿プレビュー画像７０１の倍率がそのまま変更される。
【００７４】
一方、ユーザが、前記原稿プレビュー画像７０１の一部７０１ｂを右方向に継続して移動させたため、前記判定の結果、図７（Ｂ）に示すように、前記変更された原稿プレビュー画像７０１の倍率（横倍率）が、前記拡大基準倍率又は縮小基準倍率（ここでは、前記拡大基準倍率「１４１％」）に一致した場合（図５：Ｓ１０８ＹＥＳ）、前記判定手段４０５は、前記原稿プレビュー画像７０１が縦長又は横長（ここでは、横長）となり、イメージ崩れが生じると判定し、その旨を回転手段４０６に通知する。当該通知を受けた回転手段４０６は、前記原稿プレビュー画像７０１の向きを９０度回転させる（図５：Ｓ１０９）。
【００７５】
具体的には、前記回転手段４０６は、前記変更された原稿プレビュー画像７０１の倍率が増加することにより、当該倍率が前記（拡大）基準倍率と一致した場合には、図７（Ｂ）に示すように、当該原稿プレビュー画像７０１の左上部７０１ｃを中心として、当該原稿プレビュー画像７０１を９０度反時計回りに回転させる。そして、前記回転手段４０６は、図８（Ａ）に示すように、前記プレビュー画面８００における、前記回転後の原稿プレビュー画像８０１の一端（左端８０１ａ）を、前記用紙プレビュー画像８０２の一端（左端８０２ａ）に一致させて、当該原稿プレビュー画像８０１と当該用紙プレビュー画像８０２とを重ね合わせて表示させる。
【００７６】
これにより、ユーザが前記原稿プレビュー画像８０１の独立変倍処理を行うことにより、当該原稿プレビュー画像８０１のイメージが崩れてしまう場合であっても、当該イメージ崩れを回避して、当該イメージの縦横比率を所定の比率に保持し、画像品質の劣化を防止することが可能となる。
【００７７】
尚、前記回転手段４０６が、上述した回転処理をした後に、ユーザが、前記原稿プレビュー画像８０１の一部８０１ｂを、上述と同一方向（右方向）に継続して移動させる場合、前記原稿プレビュー画像８０１が９０度回転したことにより、当該原稿プレビュー画像８０１の変更される倍率が、回転前の移動方向の倍率（横倍率）から、当該回転前の移動方向と直交する方向の倍率（縦倍率）に変更される。
【００７８】
そのため、図８（Ｂ）に示すように、ユーザが、最初から前記原稿プレビュー画像７０１の一部７０１ｂを右方向に継続して移動させると、前記回転処理により、当該原稿プレビュー画像７０１の原稿サイズを「Ａ４」から「Ａ３」にイメージを崩すことなく拡大させることが可能となる。
【００７９】
一方、ユーザが、例えば、図８（Ｂ）に示す原稿プレビュー画像８０１の一部８０１ｂを左方向に移動させて、当該原稿プレビュー画像８０１の倍率を変更する場合は、以下のようになる。
【００８０】
即ち、ユーザが、図８（Ｂ）に示す原稿プレビュー画像８０１の一部８０１ｂを左方向に移動させると、前記表示受付手段４０１が、それを検知し（図５：Ｓ１０６ＹＥＳ）、前記変更手段４０４が、当該原稿プレビュー画像８０１の倍率（例えば、横倍率「１５０％」）を前記移動量と移動方向（左方向）に対応して変更する（図５：Ｓ１０７）。
【００８１】
そして、前記変更手段４０４による前記原稿プレビュー画像８０１の倍率（横倍率）の変更に伴い、前記判定手段４０５は、前記変更された原稿プレビュー画像８０１の倍率（横倍率）が、前記拡大基準倍率又は縮小基準倍率と一致したか否かを判定する（図５：Ｓ１０８）。
【００８２】
ここで、ユーザが、前記原稿プレビュー画像８０１の一部８０１ｂを左方向に継続して移動させたため、前記判定の結果、図９（Ａ）に示すように、前記変更された原稿プレビュー画像８０１の倍率（横倍率）が、前記拡大基準倍率又は縮小基準倍率（ここでは、前記拡大基準倍率「１４１％」）に一致した場合（図５：Ｓ１０８ＹＥＳ）、前記判定手段４０５は、イメージ崩れが生じると判定し、前記回転手段４０６は、前記原稿プレビュー画像８０１の向きを９０度回転させる（図５：Ｓ１０９）。
【００８３】
具体的には、前記回転手段４０６は、前記変更された原稿プレビュー画像８０１の倍率が減少することにより、当該倍率が前記（拡大）基準倍率と一致した場合には、図９（Ａ）に示すように、当該原稿プレビュー画像８０１の左下部８０１ｄを中心として、当該原稿プレビュー画像８０１を９０度時計回りに回転させる。そして、前記回転手段４０６は、図９（Ｂ）に示すように、前記プレビュー画面９００における、前記回転後の原稿プレビュー画像９０１の一端（左端９０１ａ）を、前記用紙プレビュー画像９０２の一端（左端９０２ａ）に一致させて、当該原稿プレビュー画像９０１と当該用紙プレビュー画像９０２とを重ね合わせて表示させる。
【００８４】
これにより、ユーザが前記原稿プレビュー画像９０１の倍率を減少させたとしても、その画像品質の劣化を防止することが可能となる。
【００８５】
さて、ユーザが、前記原稿プレビュー画像９０１を前記用紙プレビュー画像８０２に一致させて、前記プレビュー画面９００を見ながら、前記ＯＫキー９０４（７０４）を押下すると、前記表示受付手段４０１が、当該ＯＫキー９０４の押下を受け付けて（図５：Ｓ１０９ＹＥＳ）、前記変更後の原稿プレビュー画像９０１に対応する「原稿サイズ」（例えば、「Ａ３」）と、原稿画像の「倍率」（例えば、縦倍率「１４１％」、横倍率「１４１％」）と、「原稿の向き」（例えば、「横向き」）を各設定項目の設定値として受け付ける（図５：Ｓ１１１）。
【００８６】
これにより、ユーザが、前記プレビュー画面９００内で原稿プレビュー画像９０１をドラッグ操作することで、当該ドラッグ操作に対応する各設定項目の設定値を簡単に入力することが可能となる。又、視覚的に確認しながら入力出来るため、ミスコピー等も防止することが出来る。
【００８７】
そして、前記表示受付手段４０１が、前記プレビュー画面９００から前記初期画面６００に切り換え表示する。
【００８８】
ここで、ユーザは、前記初期画面６００を見ながら、スタートキー２０５を押下すると、前記表示受付手段４０１が、当該スタートキー２０５の押下を受け付けて（図５：Ｓ１１２ＹＥＳ）、当該スタートキー２０５の押下と、今まで受け付けた設定条件（各設定項目の設定値）とを画像形成手段４０７に通知する。当該通知を受けた画像形成手段４０７は、前記画像データ記憶手段４０３を参照して、前記原稿の画像データを取得し、前記設定条件に基づいて、当該原稿の画像データを用紙に画像形成する（図５：Ｓ１１３）。
【００８９】
ここで、前記設定条件は、ユーザが前記原稿プレビュー画像９０１で前記用紙プレビュー画像９０２に対応させて入力した設定値が含まれているため、前記画像形成の実行により得られる印刷物は、ユーザの意図を反映されたものとなり、ユーザは、自己の所望する印刷物を確実に手に入れることが可能となる。
【００９０】
尚、Ｓ１１２において、ユーザが、スタートキー２０５を選択しない場合は（図５：Ｓ１１２ＮＯ）、Ｓ１０２に戻って、前記表示受付手段４０１が、用紙サイズの入力（図５：Ｓ１０２）や「プレビュー」キーの押下（図５：Ｓ１０３）等を受け付けることになる。
【００９１】
このように、本発明の操作部１０２では、ユーザにより、前記原稿プレビュー画像７０１の一部７０１ｂが接触された状態で移動されると、当該原稿プレビュー画像７０１の倍率を前記移動量と移動方向に対応して変更する変更手段４０４と、前記変更された原稿プレビュー画像７０１の倍率が、予め設定された基準倍率と一致したか否かを判定する判定手段４０５と、前記判定の結果、前記原稿プレビュー画像４０５の倍率が前記基準倍率と一致した場合、前記原稿プレビュー画像４０５の向きを９０度回転させる回転手段４０６とを備える。
【００９２】
これにより、原稿の画像データのイメージを崩すことなく、その画像品質を維持したままで、ユーザに当該原稿プレビュー画像の倍率を独立変倍で変更させることが可能となる。
【００９３】
尚、本発明の実施形態に係る操作部１０２では、前記基準倍率として、前記拡大基準倍率「１４１％」と、縮小基準倍率「７１％」とを採用したが、これに限定する必要は無く、当該基準倍率は、管理者、製造者等が予め設定した値（例えば、プレビュー画面の表示領域のサイズに対応した値、「８０％」等）としても構わない。
【００９４】
又、本発明の実施形態に係る操作部１０２では、前記基準倍率として、前記拡大基準倍率と、縮小基準倍率との２種類を採用したが、これに限定する必要は無く、例えば、４種類、６種類など、段階的に設定された倍率を採用しても構わない。例えば、第一の拡大基準倍率が、「Ａ３」と「Ａ４」に対応する「１４１％」であれば、第二の拡大基準倍率を、「Ａ４」と「Ａ２」に対応する「２００％」、第三の拡大基準倍率を、「Ａ４」と「Ａ１」に対応する「２８３％」としても良い。又、例えば、第一の縮小基準倍率が、「Ａ３」と「Ａ４」に対応する「７１％」であれば、第二の拡大基準倍率を、「Ａ４」と「Ａ２」に対応する「５０％」、第三の拡大基準倍率を、「Ａ４」と「Ａ１」に対応する「３５％」としても良い。もちろん、前記変更された原稿プレビュー画像の倍率が、上述した複数の基準倍率のいずれかと一致した場合には、前記回転手段４０６が、前記原稿プレビュー画像の向きを９０度回転させることになる。
【００９５】
又、本発明の実施形態に係る操作部１０２では、前記回転手段４０６は、最初に表示された原稿プレビュー画像の向きが縦向きであると、前記原稿プレビュー画像の倍率が増加することにより、前記基準倍率と一致した場合、当該原稿プレビュー画像の向きを９０度反時計回りに回転させ、前記原稿プレビュー画像の倍率が減少することにより、前記基準倍率と一致した場合、当該原稿プレビュー画像の向きを９０度時計回りに回転させるよう構成したが、他の構成でも構わない。例えば、最初に表示された原稿プレビュー画像の向きが横向きであると、前記回転手段４０６は、前記原稿プレビュー画像の倍率が増加することにより、前記基準倍率と一致した場合、当該原稿プレビュー画像の向きを９０度時計回りに回転させ、前記原稿プレビュー画像の倍率が減少することにより、前記基準倍率と一致した場合、当該原稿プレビュー画像の向きを９０度反時計回りに回転させるよう構成しても良い。
【００９６】
尚、本発明の実施形態に係る操作部１０２では、操作部１０２を複合機１００に適用した場合について説明したが、タッチパネル３０１を有する操作部１０２（操作装置）を備えた各種画像形成装置、各種画像処理装置、各種画像加工装置、各種画像表示装置等に適用しても、同一の作用効果を奏する。
【００９７】
又、本発明の実施形態では、複合機１００の操作部１０２が各手段を備えるよう構成したが、当該各手段を実現するプログラムを記憶媒体に記憶させ、当該記憶媒体を提供するよう構成しても構わない。当該構成では、上記プログラムを操作部１０２又は複合機１００に読み出させ、その操作部１０２又は複合機１００が上記各手段を実現する。その場合、上記記録媒体から読み出されたプログラム自体が本発明の作用効果を奏する。さらに、各手段が実行するステップをハードディスクに記憶させる方法として提供することも可能である。
【産業上の利用可能性】
【００９８】
以上のように、本発明に係る操作装置及び操作方法は、操作部はもちろん、それを備えた複合機、複写機、プリンタ等に有用であり、原稿の画像データのイメージを崩すことなく、ユーザに当該原稿の画像データの倍率を独立変倍で変更させることが可能な操作装置及び操作方法として有効である。
【符号の説明】
【００９９】
１００  複合機
１０２  操作部
４０１  表示受付手段
４０２  画像読取手段
４０３  画像データ記憶手段
４０４  変更手段
４０５  判定手段
４０６  回転手段
４０７  画像形成手段
【図１】
0005912801.tif 000002
【図２】
0005912801.tif 000003
【図３】
0005912801.tif 000004
【図４】
0005912801.tif 000005
【図５】
0005912801.tif 000006
【図６】
0005912801.tif 000007
【図７】
0005912801.tif 000008
【図８】
0005912801.tif 000009
【図９】
0005912801.tif 000010